(57)【特許請求の範囲】
【請求項１】
Ｕボルトを用いて対象物を所定の支持部材にプレートを介在させて固定するギャップ調整用ライナプレートにおいて、前記プレートは、金属製平板の一方の側辺に開放した曲がり溝と、前記一方の側辺に対して直角に交わる側辺に開放したストレート溝とを有し、前記曲がり溝はその終端側の溝が前記ストレート溝の終端側と同じ方向に同一直線上に形成されていることを特徴とするギャップ調整用ライナプレート。
【請求項２】
Ｕボルトを用いて対象物を所定の支持部材にプレートを介在させて固定するギャップ調整用ライナプレートにおいて、前記プレートは、金属製平板の一方の側辺に開放したＬ字型溝と、前記一方の側辺に対して直角に交わる側辺に開放したストレート溝とを有し、前記Ｌ字型溝はその終端側の溝が前記ストレート溝の終端側と同じ方向に同一直線上に形成されていることを特徴とするギャップ調整用ライナプレート。
【請求項３】
Ｕボルトを用いて対象物を所定の支持部材にプレートを介在させて固定するギャップ調整用ライナプレートにおいて、前記プレートは、金属製平板の一方の側辺に開放した曲がり溝と、前記一方の側辺に対して直角に交わる側辺に開放したストレート溝とを有し、前記曲がり溝はその終端側の溝が前記ストレート溝の終端側と同じ方向に同一直線上に形成され、且つその開放側の溝が前記ストレート溝の開放側に対して反対向きに斜めに形成されていることを特徴とするギャップ調整用ライナプレート。
【請求項４】
Ｕボルトを用いて対象物を所定の支持部材にギャップ調整用ライナプレートを介在させて固定される構造物において、前記ギャップ調整用ライナプレートは請求項１〜３のいずれかに記載のギャップ調整用ライナプレートからなることを特徴とする構造物。
【請求項５】
使用済核燃料を、ウランとプルトニウムを含む溶液と核分裂生成物を含む溶液の廃棄物とに処理し、回収された前記ウランとプルトニウムを再び原子炉で燃やす燃料に精製する精製処理と、前記廃棄物からの高レベル廃液濃縮処理、酸回収処理及び低レベル廃液処理とを行う再処理プラントにおいて、前記各処理経路を繋ぐ各種配管を請求項１〜３のいずれかに記載のギャップ調整用ライナプレートを介在させて前記支持部材にＵボルトによって固定されていることを特徴とする再処理プラント。
【請求項６】
原子炉によって発生した水蒸気を蒸気タービンに送り回転させ、該蒸気タービンより出た水蒸気を給水加熱器に送給し、次いで給水ポンプによって前記原子炉に送給すると共に、前記蒸気タービンの回転によって発電機を回転させて発電する原子力発電プラントにおいて、前記各機器を繋ぐ各種配管を請求項１〜３のいずれかに記載のギャップ調整用ライナプレートを介在させて前記支持部材にＵボルトによって固定されていることを特徴とする原子力発電プラント。
【請求項７】
複数のＵボルトを用いて対象物を所定の支持部材に固定する構造物の固定方法において、前記対象物を固定している前記Ｕボルトに対して前記対象物と支持部材との間にギャップ調整が必要な部分に請求項１〜３のいずれかに記載のギャップ調整用ライナプレートを介在させて前記固定することを特徴とする構造物の固定方法。
【発明の詳細な説明】
【０００１】
【発明の属する技術分野】
本発明は、新規なギャップ調整用ライナプレートとそれを用いた構造物、再処理プラント及び原子力発電プラント並びにその固定方法に関する。
【０００２】
【従来の技術】
原子力発電プラント、原子燃料再処理プラントの各種配管は、据え付け時の誤差、溶接による変形が原因で、配管とその支持構造物との間に隙間ができる。この支持構造物は配管自身の自重を支える目的で設けられるものであるので、Ｕボルトによって締結される対象物間に生じるギャップ調整して両者を接するようにすることが必要である。又、配管と構造物とは異材であり、両者が接触することが電食の原因が考えられる。
【０００３】
この対策として、従来、ギャップ調整部材をその間隙に挿入させ、溶接によって固定することが行われている。
【０００４】
特開平10-30240号公報には、隣接するセグメント型枠間にライナプレートを介在させて固定具によりセグメント型枠同士を繋ぐ際にライナプレートの枚数を調整すること、特開2001-82636号公報には、隣接する配管同士をＵボルト拘束プレートに設けられたＵボルト貫通孔を通して所定の間隔で固定することが示されている。
【０００５】
【発明が解決しようとする課題】
従来のギャップ調整用ライナプレートは、取り付けの際、溶接による取り付けに多大な時間が必要であるという問題点があった。
【０００６】
又、前述の公知例においては、間隙の形成によって生じる配管自身の自重を支えると言う特定の課題及び固定方法は示されていない。
【０００７】
本発明の目的は、Ｕボルトで所定の部材に支持される対象物と部材との間のギャップを容易に且つ速やかな取り付けが可能な手段によって調節できるギャップ調整用ライナプレートとそれを用いた構造物及び各種プラント並びにその固定方法を提供することにある。
【０００８】
【課題を解決するための手段】
本発明は、Ｕボルトを用いて対象物を所定の支持部材にプレートを介在させて固定するギャップ調整用ライナプレートにおいて、前記プレートは、金属製平板の一方の側辺に開放した曲がり溝と、前記一方の側辺に対して直角に交わる側辺に開放したストレート溝とを有し、前記曲がり溝はその終端側の溝が前記ストレート溝の終端側と同じ方向に同一直線上に形成されていることを特徴とするギャップ調整用ライナプレートにある。
【０００９】
又、本発明は、Ｕボルトを用いて対象物を所定の支持部材にプレートを介在させて固定するギャップ調整用ライナプレートにおいて、前記プレートは、金属製平板の一方の側辺に開放したＬ字型溝と、前記一方の側辺に対して直角に交わる側辺に開放したストレート溝とを有し、前記Ｌ字型溝はその終端側の溝が前記ストレート溝の終端側と同じ方向に同一直線上に形成されていることを特徴とするギャップ調整用ライナプレートにある。
【００１０】
更に、本発明は、Ｕボルトを用いて対象物を所定の支持部材にプレートを介在させて固定するギャップ調整用ライナプレートにおいて、前記プレートは、金属製平板の一方の側辺に開放した曲がり溝と、前記一方の側辺に対して直角に交わる側辺に開放したストレート溝とを有し、前記曲がり溝はその終端側の溝が前記ストレート溝の終端側と同じ方向に同一直線上に形成され、且つその開放側の溝が前記ストレート溝の開放側に対して反対向きに斜めに形成されていることを特徴とするギャップ調整用ライナプレートにある。
【００１２】
本発明は、Ｕボルトを用いて対象物を所定の部材にギャップを形成するギャップ調整用プレートを介在させて固定された構造物において、前記ギャップ調整用プレートは前述に記載のギャップ調整用プレートからなること、前記プレートは前記対象物との間に電蝕を起こさない材質を有すること、前記プレートは前記対象物の材質と同種又は同じ材質を有すること、曲がり溝とストレート溝の幅はＵボルトの径より若干大きく、終端部はＵボルトの径に相似形になっていることが好ましい。
【００１４】
又、本発明は、複数のＵボルトを用いて対象物を所定の部材に固定する構造物の固定方法において、前記対象物を固定している前記Ｕボルトに対して前記対象物と部材との間にギャップ調整が必要な部分に前述に記載のギャップ調整用プレートを介在させて前記固定を行うことが好ましい。
【００１５】
即ち、本発明のＵボルト取り付け部分のギャップ調整用ライナプレートは、一辺からライナプレート内側方向に伸びる溝と、その溝に連続してその溝に垂直な方向に、ライナプレートの外側に伸びる溝とを持つ曲がり溝、他辺から、その辺に垂直にＵボルト脚部径に合う形状でライナプレート内側方向に真っ直ぐに伸びるストレート溝を持つことを特徴とし、ナット等のＵボルト固定具を緩めて、Ｕボルト根元部分に滑り込ませ、固定具を締めるだけで取り付けることが可能となる。また、途中で曲がる形状の溝を持つことにより、抜け落ちにくさを保持することが可能となる。
【００１６】
又、本発明のＵボルト取り付け部分のギャップ調整用ライナプレートは、一辺に対してライナプレート内側方向に伸びる溝と、その溝に連続してその溝に対して傾斜した方向にライナプレートの外側に伸びる溝とを持つ曲がり溝、また他辺に対してその辺に垂直にＵボルト脚部径に合う形状でライナプレート内側方向に真っ直ぐに伸びるストレート溝を持ち、前記傾斜した溝は前記他辺に設けられた溝に対して反対の方向に傾斜していることを特徴とし、ナット等のＵボルト固定具を緩めて、Ｕボルト根元部分に滑り込ませ、固定具を締めるだけで取り付けることが可能となる。また、途中で曲がる形状の溝を持つことにより、抜け落ちにくさを保持することが可能となる。
【００１８】
又、本発明においては、ライナプレートの材質を、Ｕボルトで締結される対象物のうち、Ｕボルトにより支持される側の材質に電蝕が起こらないように支持される側の材質に対して同種又は同じ材質を適用することにより、支持される側の部材の電蝕を防ぐことが好ましい。
【００２０】
本発明は、使用済核燃料を、ウランとプルトニウムを含む溶液と核分裂生成物を含む溶液の廃棄物とに処理し、回収された前記ウランとプルトニウムを再び原子炉で燃やす燃料に精製する精製処理と、前記廃棄物からの高レベル廃液濃縮処理、酸回収処理及び低レベル廃液処理とを行う再処理プラントにおいて、前記各処理経路を繋ぐ各種配管を前述に記載のギャップ調整用ライナプレートを介在させて支持部材にＵボルトによって固定されていることを特徴とする再処理プラントにある。
【００２１】
又、本発明は、原子炉によって発生した水蒸気を蒸気タービンに送り回転させ、該蒸気タービンより出た水蒸気を給水加熱器に送給し、次いで給水ポンプによって前記原子炉に送給すると共に、前記蒸気タービンの回転によって発電機を回転させて発電する原子力発電プラントにおいて、前記各機器を繋ぐ各種配管を前述に記載のギャップ調整用ライナプレートを介在させて支持部材にＵボルトによって固定されていることを特徴とする。
【００２２】
【発明の実施の形態】
（実施例１）
図１は、本発明のＵボルト取り付け部分のギャップ調整用ライナプレートの形状を示す概要図である。Ｕボルト部のギャップ調整用ライナプレート1は、金属製長方形状平板の一辺に対してギャップ調整用ライナプレート内側(B方向)に伸びる溝13及びその溝13に連続して、垂直な方向にギャップ調整用ライナプレートの外側(A方向)に伸びる溝14を持つ曲がり溝と、また、前述の一辺に対して直角に形成された他方の辺に対してＵボルト脚部径に合うサイズでギャップ調整用ライナプレート内側(B方向)に伸びる溝15を持つストレート溝とを有する。いずれの溝もＵボルト脚部径より若干大きい幅を有し、各溝の終端部はＵボルト脚部径と相似形になっている。
【００２３】
図２は、本発明のギャップ調整用ライナプレートをＵボルト2に挿入する手順を示す工程図である。予め、対象物を固定しているＵボルト2で、ギャップ調整が必要な部分に対して、上ナットを緩め、Ｕボルト2の片脚部に、ギャップ調整用ライナプレート1を、先ず、(a)の溝13の内側(B方向)に伸びる部分に合わせて滑らせ、直角に曲がる部分まで到達したら、(b)のA方向に合わせて滑らせる。このとき同時にもう一方のＵボルト2脚部を溝14に合わせてA方向に滑らせる。次いで、(c)のギャップ調整用ライナプレート1をB方向に滑らせ所定の位置に設定される。
【００２４】
図３は、Ｕボルト取り付け部分のギャップ調整用ライナプレートの取り付け状態を示す断面図である。最終的には上ナット3を締めることにより図３に示される状態に取り付け固定される。図３に示すように、Ｕボルト2により固定される対象物4と、Ｕボルト2の取り付け部材5とのギャップにギャップ調整用ライナプレート1、10を適用するにより対象物4と取り付け部材5との間のギャップを調節することができる。
【００２５】
本実施例によれば、予め固定されているＵボルト支持部の固定具を緩めて、ギャップ調整用ライナプレートを滑り込ませ、再び固定具を締めるという方法で、速やかにギャップ調整が可能となる。従って、各種プラントにおける配管の支持部ではＵボルト2の取り付け部材5に厳しいギャップ管理が要求される場合があるため、本実施例のギャップ調整用ライナプレートを適用することにより、取り付け工数の大幅な低減が実現できる。
【００２６】
（実施例２）
図４は、本発明のＵボルト取り付け部分のギャップ調整用ライナプレートの形状を示す平面図である。本実施例２におけるＵボルト部ギャップ調整用ライナプレート10は、金属製長方形状平板の一辺に対してライナプレート内側に伸びる溝13と、その溝13に連続し斜め方向に形成され、ギャップ調整用ライナプレートの外側(A方向)に伸びる溝16とを持つ曲がり溝と、また、他辺に対して図４で示されるようなＵボルト脚部径に合うサイズでギャップ調整用ライナプレート内側(B方向)に伸びる開放した溝15を持つストレート溝とを有する。溝16は溝15に対して反対方向に向いた傾斜溝である。溝15には溝16と同じ傾斜した傾斜部17を有する。本発明のギャップ調整用ライナプレート10は、特に小さいサイズのＵボルト支持部のギャップ調整を行う際、実施例1における形状のギャップ調整用ライナプレートでは、Ｕボルトで固定される対象物とライナプレートの接地面積が小さくなり、十分にギャップ調整ができない場合にも、斜めの溝15形状によって対象物とライナプレートの接地面積を十分広くし、ギャップ調整が可能となる。いずれの溝もＵボルト脚部径より若干大きい幅を有し、各溝の終端部はＵボルト脚部径と相似形になっている。
【００２７】
図５は、Ｕボルト取り付け部分へのギャップ調整用ライナプレートの挿入手順を示す工程図である。先ず、予め対象物を固定しているＵボルト2で、ギャップ調整が必要な部分について、上ナットを緩め、ギャップ調整用ライナプレート10の溝16を、(a)のＵボルト2の脚部の片側に合わせて滑らせ、溝方向が変わる部分まで到達したら、(b)のその溝16に合わせてA方向へ滑らせる。このとき同時にもう一方のＵボルト2の脚部を溝16に合わせてA方向に滑らせる。次いで、(c)のギャップ調整用ライナプレート10をB方向に滑らせ所定の位置に設定される。
【００２８】
最終的には図３に示される状態に据え付けられ、上ナット3を締め固定される。図３中、Ｕボルト2により固定される対象物4と、取り付け部材5とのギャップにギャップ調整用ライナプレート10を適用することにより、対象物間のギャップを調節することができる。
【００２９】
本実施例によれば、ギャップ調整用ライナプレート形状に図４の形状を適用することにより、予め固定されているＵボルト支持部の固定具を緩めて、ギャップ調整用ライナプレートを滑り込ませ、再び固定具を締めるという方法で、容易に且つ速やかに取り付けができると共に、ギャップ調整が可能となる。例えば各種プラントにおける配管の支持部では、口径の大小にかかわらず、Ｕボルト取り付け部分に厳しいギャップ管理が要求される場合があるが、本実施例のギャップ調整用ライナプレートは、特に口径の小さい配管の支持部に対しても、斜めに設けられた溝形状により、対象物とギャップ調整用ライナプレートの接地面積を十分広くし、ギャップ調整が可能となる。又、本実施例のギャップ調整用ライナプレートの適用により、取り付け工数の大幅な低減が実現できる。
【００３２】
（実施例３）
本実施例は、実施例１及び２に用いたＵボルト取り付け部分のギャップ調整用ライナプレート1、10の材質を、図３中に示されるＵボルトにより固定される対象物4に対し、対象物4の材料と同材質にしたものである。このように、両者を同材質にすることにより、特に隙間等によって生じる対象物への電蝕を防ぐことが可能となる。即ち、ギャップ調整用ライナプレート1、10の材質をＵボルトにより固定されている対象物の材料と同じ材料とすることにより、電蝕を防ぐことが可能となる。
【００３５】
（実施例４）
図６は、再処理プラントの構成図である。図６に示すように、原子カ発発電所から出た使用済核燃料は、再処理プラントに搬入されると、輪送容器(キャスク)から取り出され、貯蔵プールで冷却貯蔵される。一定期間、冷却貯蔵された使用済燃料は、５ｃｍ程度の小片にせん断され、溶解槽へ送られ、硝酸にて溶解される。溶解した使用済燃料は、ウランとプルトニウムを含む溶液と、核分裂生成物を含む溶液に分けられ、このうち核分裂生成物を含む溶液は廃棄物として安全に処理される。またウランとプルトニウムを含む溶液は、さらにウランを含む溶液とプルトニウムを含む溶液に分けられ、それぞれ精製されて、ウランを含む溶液は三酸化ウラン粉末に、プルトニウムを含む溶液は硝酸プルトニウム溶液になり、それぞれ再処理プラントの最終製品になる。このように、再処理をへて回収されたウランとプルトニウムは、このあと加工され、再び原子炉で燃やす燃料としてよみがえることになる。
【００３６】
本実施例は、前述の実施例１〜３のいずれかに記載のギャップ調整用ライナプレートを各処理を繋ぐ各配管で生じたギャップを埋めるのに用いられ、実施例１に記載と同様にＵボルトによってＵボルト取り付け部材に固定される。ギャップ調整には、種々の厚さの異なるギャップ調整用ライナプレートを予め用意され、そのギャップの大きさに応じてギャップ調整用ライナプレートが選択される。ギャップ調整用ライナプレートを重ねて用いることもできる。又、配管と支持部材との間のギャップが無くなることにより配管自身の自重よる荷重が無くなり、電蝕も防止される。
【００３７】
（実施例５）
図７は、原子力発電プラントの構成図である。図中、(a)が沸騰水型原子力発電プラント、(b)が加圧水型原子力発電プラントである。
【００３８】
本実施例は、前述の実施例１〜３のいずれかに記載のギャップ調整用ライナプレートを本プラントの各配管で生じたギャップを調整するのに用いられ、実施例１に記載と同様にＵボルトによってＵボルト取り付け部材に固定される。ギャップ調整には、種々の厚さの異なるギャップ調整用ライナプレートを予め用意され、そのギャップの大きさに応じてギャップ調整用ライナプレートが選択される。ギャップ調整用ライナプレートを重ねて用いることもできる。又、配管と支持部材との間のギャップが無くなることにより配管自身の自重よる荷重が無くなり、電蝕も防止される。
【００３９】
【発明の効果】
本発明によれば、Ｕボルトで支持される対象物間のギャップを容易に且つ速やかな取り付けが可能な手段によって調節できるＵボルトギャップ調整用ライナプレートを提供できるものである。又、再処理プラント及び原子力発電プラントの各種プラントにおける配管の支持部ではＵボルト取り付け部分に厳しいギャップ管理が要求されるが、本発明のギャップ調整用ライナプレートの適用により、取り付け工数の大幅な低減が実現できる。
【００４０】
更に、本発明によれば、ギャップ調整用ライナプレートの材質をＵボルトにより固定されている対象物の材料と同じ材料とすることにより、電蝕を防ぐことが可能となる。
【図面の簡単な説明】
【図１】  本発明のギャップ調整用ライナプレートの平面図。
【図２】  本発明のギャップ調整用ライナプレート挿入手順を示す工程図。
【図３】  本発明のギャップ調整用ライナプレートの平面図。
【図４】  本発明のギャップ調整用ライナプレート挿入手順を示す工程図。
【図５】  本発明のギャップ調整用ライナプレートの平面図及び側面図。
【図６】  本発明の再処理プラントの構成図。
【図７】  本発明の原子力発電プラントの構成図。
【符号の説明】
1、10…ギャップ調整用ライナプレート、2…Ｕボルト、3…上ナット、4…Ｕボルトにより支持される対象物、5…Ｕボルトを取り付ける部材、6…オス型偏心ナット、7…メス型偏心ナット、8…ばね座金、9…下ナット、13、14、15、16…Ｕボルト部ギャップ調整用ライナプレート溝、17…溝傾斜部、30…原子炉、31…燃料、32…再循環ポンプ、33…蒸気ドラム、34…給水ポンプ、35…蒸気タービン、36…給水加熱器、37…発電機、38…復水ポンプ、39…二次蒸気発生器。
【図１】
0003991707.tif 000002
【図２】
0003991707.tif 000003
【図３】
0003991707.tif 000004
【図４】
0003991707.tif 000005
【図５】
0003991707.tif 000006
【図６】
0003991707.tif 000007
【図７】
0003991707.tif 000008